(57)【要約】      （修正有）【課題】従来の筆記具用収納容器は、蓋体の側壁が平面で構成されているため、使用者が蓋体を把持する力が蓋体の側壁に伝い、蓋体を内側に向かって変形させてしまうので、蓋体を収納容器本体に取り付ける際には、蓋体の開口端から収納容器本体の開口端が入りにくくなり、蓋体を収納容器本体から取り外す際には、蓋体の内壁と収納容器本体の外壁との摩擦が大きくなることで取り外しにくくなってしまうという問題があった。そこで、蓋体の収納容器本体に対し容易に取り付けや取り外しをすることができる筆記具用収納容器を提供する。【解決手段】側壁の内面に周状の凸部２ａを形成した筒状の蓋体２を備える筆記具用収納容器１。【選択図】図２
2020028974.tif 000002
【特許請求の範囲】
【請求項１】
側壁の内面に周状の凸部を形成した筒状の蓋体を備える筆記具用収納容器。
【発明の詳細な説明】
【技術分野】
【０００１】
本発明は、蓋体を備えた筆記具用収納容器に関するものである。
【背景技術】
【０００２】
従来、蓋体を備えた筆記具用収納容器として、一端を開口し他端を閉塞した筒状の蓋体と、同じく一端を開口し他端を閉塞した筒状の収納容器本体とからなり、一方の部材の内壁ともう一方の部材の外壁を接触させることで蓋体を収納容器本体に取り付け、収納容器本体の閉塞状態を構成するものが知られている。
例えば特許文献１（特開平１０−３１６１４１号公報）には、蓋体を収納容器本体に取り付ける際に、蓋体の側壁に内側に向かって形成した突起が、収納容器本体の側壁外側に形成した凹部に入り込むことによって、収納容器本体の閉塞状態を構成する発明が開示されている。
【先行技術文献】
【特許文献】
【０００３】
【特許文献１】特開平１０−３１６１４１号公報
【発明の概要】
【発明が解決しようとする課題】
【０００４】
特許文献１に記載の発明は、蓋体の側壁が、先述の突起を除いて肉厚がほぼ均一な平面で構成されているため、使用者が蓋体の側壁を把持する力による応力が蓋体の側壁全体に伝い、蓋体を外側から内側に向かって変形させてしまうので、蓋体を収納容器本体に取り付ける際には、蓋体の開口端から収納容器本体の開口端を入れにくくなり、蓋体を収納容器本体から取り外す際には、蓋体の側壁内面と収納容器本体の側壁外面との摩擦が大きくなることで取り外しにくくなってしまうという問題があった。
本発明は、蓋体の収納容器本体に対し容易に取り付けや取り外しをすることができる筆記具用収納容器を提供することを目的とする。
【課題を解決するための手段】
【０００５】
本発明は、側壁の内面に周状の凸部を形成した筒状の蓋体を備える筆記具用収納容器を要旨とする。
【発明の効果】
【０００６】
本発明の筆記具用収納容器は、蓋体の側壁の内面に周状の凸部を形成した部分は、使用者による蓋体への把持力がかかる方向の断面積が大きくなるので、蓋体に生じる応力が、周状の凸部を形成した部分よりも把持力がかかる方向の断面積が小さい部分に集中しやすくなり、応力が周状の凸部を乗り越えて蓋体の側壁全体に伝わりにくくなることで、筒状の蓋体の側壁が変形しにくくなり、蓋体を収納容器本体に対して容易に取り付けや取り外しをすることができる。
【図面の簡単な説明】
【０００７】
【図１】筆記具用収納容器１の外観斜視図
【図２】筆記具用収納容器１のＩ−Ｉ´縦断面図
【図３】図２のＡ部分拡大図
【図４】蓋体２と収納容器本体３の外観斜視図
【図５】図４のＤ部分拡大図
【図６】収納容器本体３を開口端側から見た図
【図７】蓋体２を長尺状態で収納容器本体３に取り付けた図
【発明を実施するための形態】
【０００８】
本発明の筆記具用収納容器は、少なくとも蓋体と収納容器本体とから構成する。収納容器本体内には、ボールペン、シャープペンシル、鉛筆、マーカー、筆ペン、万年筆、クレヨン、パステルその他の筆記具を収納することができる。
【０００９】
蓋体は筒状の部材であり、側壁の内面に周状の凸部を形成している。ここで周状とは、周方向に連なっている形状を指すものである。
周状の凸部の、蓋体の側面からの高さは、均一であっても不均一であっても良い。凸部が途切れる部分が存在しても良いが、一か所も凸部が途切れない全周状に凸部を形成すると、使用者が蓋体を把持する位置に関わらず収納容器本体に対し容易に取り付けや取り外しをすることができるので好ましい。
周状の凸部の数は特に限定されるものでは無く、２周以上設けても良い。
【００１０】
蓋体の側壁の、内面に周状の凸部を形成する位置に対応する外面は、周状の凸部の形状に合わせて周状の凹部としても、一帯を平面としても良い。
【００１１】
蓋体の材料は、例えば、スチレンブタジエンコポリマー樹脂、ポリエチレン樹脂、ポリアミド樹脂、ポリプロピレン樹脂、ポリブチレンテレフタレート樹脂、ポリブチレンナフタレート樹脂、ポリエチレンナフタレート樹脂、塩化ビニル樹脂、エチレンビニルアルコール共重合体、ポリアクリロニトリル樹脂、フッ素樹脂、ポリアセタール樹脂、ポリエチレンテレフタレート樹脂、ポリカーボネート樹脂、ポリスチレン樹脂、アクリロニトリルブタジエンスチレン樹脂、シリコーン樹脂、エラストマー、金属、紙、またはこれらの材料を含む複合材等が適宜選択可能である。特にスチレンブタジエンコポリマー樹脂であると透明性やヒンジ性に優れるため好ましい。なお、収納容器本体の材料についても、蓋体同様に例えば上記の材料が適宜選択可能である。
【００１２】
蓋体や収納容器本体の成形方法は、使用する材料に応じて、例えば金型を使ったブロー成形や射出成形といった公知の方法が適宜選択可能である。
【実施例】
【００１３】
以下、本発明の実施例を示す。
図１は筆記具用収納容器１の外観斜視図であり、図２は筆記具用収納容器１のＩ−Ｉ´縦断面図である。
筆記具用収納容器１は、蓋体２と収納容器本体３とで構成している。蓋体２と収納容器本体３は、どちらも、スチレンブタジエンコポリマー樹脂であるため、透明性やヒンジ性に優れている。いずれの部材も透明なため、収納容器本体３の内部に収納したパステルを外から視認することができる。
蓋体２と収納容器本体３は、どちらも、一端が開口し他端が閉塞した筒状の部材である。蓋体２の開口端から、収納容器本体３の開口端を入れて、蓋体２が収納容器本体３を覆うようにして取り付ける。詳細は後述する。
【００１４】
蓋体２には、側壁の内面に周状の凸部２ａを形成している。周状の凸部２ａは、側壁からの高さが均一であり、側壁の全周に渡っている。また、蓋体２の側壁の外面には、内面の周状の凸部２ａに対応した周状の凹部２ｂを設けている。
蓋体２の、周状の凹部２ｂから閉塞端側は、把持部２ｃである。把持部２ｃの表面には、微細な凹凸（いわゆる梨地加工やシボ加工）を施している。微細な凹凸があることで、使用者が把持した際に滑りにくいため好ましい。
収納容器本体３の、閉塞端付近の側壁は、把持部３ａである。把持部３ａの表面には、蓋体２の把持部２ｃと同様に、微細な凹凸を施している。把持部３ａにも微細の凹凸があることで、使用者が把持した際に滑りにくいため好ましい。さらに把持部３ａのうち、収納容器本体３を正面から見たときに側面に位置する２か所は、収納容器本体３の開口端側から閉塞端側に向かってなだらかに傾斜した傾斜部３ａａを形成している。傾斜部３ａａによって、特に、使用者が蓋体２を収納容器本体３から取り外す際に、収納容器本体３に対して長手方向に力をかけやすくなり、より取り外しやすいため好ましい。
【００１５】
図３は図２のＡ部分拡大図である。
使用者が把持部２ｃを把持すると、把持部２ｃに把持力Ｘがかかると同時に、把持力Ｘに対する応力が発生する。蓋体２には、先述の通り側壁の内面に周状の凸部２ａを形成しているため、把持力Ｘがかかる方向の断面積が大きいＢ部分よりも、把持力Ｘがかかる方向の断面積が小さいＣ部分に応力が集中しやすくなる。そのため、応力が周状の凸部２ａを乗り越えて蓋体２の側壁全体に伝わりにくくなり、筒状の蓋体２の側壁が変形しにくくなるので、蓋体２を収納容器本体３に対して容易に取り付けや取り外しをすることができるものである。
さらに、先述の通り周状の凸部は、側壁の内面の全周に渡っているため、使用者が把持部２ｃのどこを把持しても、蓋体２の側壁が変形しにくく、収納容器本体３に対して容易に取り付けや取り外しをすることができるものである。
【００１６】
図４は蓋体２と収納容器本体３の外観斜視図である。
蓋体２と収納容器本体３は、どちらも、横断面が略正方形の部材である。ここで、略正方形と表記したのは、正方形の角に当たる部分を曲面で構成しているためである。本実施例においては、正方形の角に当たる部分を角部と表記するが、一点から出る二本の半直線が作る図形の意味ではない。
蓋体２の開口端付近の四か所の角部には、内側に向かって突出させた突起２ｄを形成している。突起２ｄは、後述する収納容器本体３の角部に形成した突起に係止することで、蓋体２を収納容器本体３に取り付けることを可能とするものである。
【００１７】
収納容器本体３の角部には、開口端付近に四か所、閉塞端付近に二か所、外側に向かって突出させた突起を形成している。
開口端付近の四か所の角部には、対角の位置にそれぞれ一つずつの突起３ｂと、もう一組の対角の位置にそれぞれ二つずつの突起３ｃとを形成している。突起３ｃは、開口端側の突起３ｃａと、閉塞端側の突起３ｃｂとからなる。
閉塞端付近の対角の位置の二か所の角部には、突起３ｄを形成している。なお突起３ｄは、突起３ｃと収納容器本体３の長手方向に一直線に並んでいる。
【００１８】
以下、蓋体２を収納容器本体３に取り付ける方法を説明する。
本実施例においては、蓋体２を取り付けることによる収納容器本体３の閉塞状態が２種類ある。一方は、他方と比較して、筆記具用収納容器１が長手方向に短い、短尺状態である。他方は、短尺状態と比較して、筆記具用収納容器１が長手方向に長い、長尺状態である。
【００１９】
図５は図４のＤ部分拡大図であり、図６は収納容器本体３を開口端側から見た図である。
蓋体２の開口端から収納容器本体３の開口端を入れ、蓋体２を収納容器本体３の閉塞端側へ移動させていくと、まず、蓋体２の開口端付近の突起２ｄが、収納容器本体３の開口端付近の突起３ｂ及び突起３ｃと接触する。ここで、突起３ｃのうち突起３ｃａは、突起３ｂと比較し、突起を構成する収納容器本体３の開口端側の面を、側壁に対してなだらかな角度で設けている。これにより、蓋体２の突起２ｄが、突起３ｃを乗り越えやすくなり、同時に突起３ｂも乗り越えやすくなるので、蓋体２が収納容器本体３の閉塞端側へと案内されやすくなる。
さらに蓋体２を収納容器本体３の閉塞端側へ移動させていくと、蓋体２の突起２ｄが、収納容器本体３の突起３ｄと接触する。突起３ｄは、先述の通り四か所の角部のうち、対角の位置の二か所にしか形成していないため、蓋体２の突起２ｄが乗り越えやすくなっている。
蓋体２の突起２ｄが収納容器本体３の突起３ｄを乗り越えると、蓋体２の正面側の開口端面とその対向の位置にある開口端面が、収納容器本体３の規制面３ｅに接触する。規制３ｅ面は、突起３ｃよりも収納容器本体３の閉塞端側に位置し、収納容器本体３の開口端側を向いており、蓋体２の開口端面と開口端面の肉厚よりも短手方向に長い面であるため、蓋体２の収納容器本体３の閉塞端側への移動が規制される。この状態が、短尺状態である（図１を参照）。
短尺状態において、使用者が蓋体２の把持部２ｃのみを把持し、筆記具用収納容器１を持ち上げても、蓋体２の突起２ｄが収納容器本体３の突起３ｄに接触するので、収納容器本体３の内部に重すぎるものを入れない限り、蓋体２が収納容器本体３から外れることはない。言い換えれば、突起２ｄと突起３ｄによる蓋体２と収納容器本体３の取り付け強度は、使用者が意図的に蓋体２を収納容器本体３から取り外そうとしない限り外れない程度に設定している。
【００２０】
図７は、蓋体２を長尺状態で収納容器本体３に取り付けた図である。
蓋体２の突起２ｄを、収納容器本体３の突起３ｃａと突起３ｃｂの間に位置させることで、長尺状態とすることができる。突起２ｄを突起３ｃａと突起３ｃｂの間に位置させる方法は、蓋体２を収納容器本体３に取り付ける際に、突起２ｄが突起３ｃａのみを乗り越えるよう使用者が調整しても良いが、先述の通り、突起３ｃａを構成する収納容器本体３の開口端側の面は、側壁に対してなだらかな角度で設けているため、突起２ｄは、突起３ｃａだけでなく、突起３ｃｂと突起３ｂも乗り越えやすいため、調整は困難である。よって、一度突起２ｄが突起３ｂ及び突起３ｃを乗り越えるまで蓋体２を移動させてから、蓋体２を収納容器本体３の開口端側へ移動させ、突起２ｄが突起３ｃｂのみを乗り越えるよう調整する方が、長尺状態にしやすい。
突起３ｃａを構成する面のうち、収納容器本体３の閉塞端側の面は、開口端側の面よりも、急な角度で設けているため、短尺状態同様に、使用者が蓋体２の把持部２ｃのみを把持し、筆記具用収納容器１を持ち上げても、突起２ｄが突起３ｃａに接触するので、蓋体２が収納容器本体３から外れることはない。
【符号の説明】
【００２１】
１      筆記具用収納容器
２      蓋体
２ａ    周状の凸部
２ｂ    周状の凹部
２ｃ    把持部
２ｄ    突起
３      収納容器本体
３ａ    把持部
３ａａ  傾斜部
３ｂ    突起
３ｃ    突起
３ｃａ  突起
３ｃｂ  突起
３ｄ    突起
３ｅ    規制面
【図１】
2020028974.tif 000003
【図２】
2020028974.tif 000004
【図３】
2020028974.tif 000005
【図４】
2020028974.tif 000006
【図５】
2020028974.tif 000007
【図６】
2020028974.tif 000008
【図７】
2020028974.tif 000009